(57)【要約】【課題】リッチ空燃比領域におけるＮＯｘの浄化性能の改善を図ることができ、排気浄化触媒の反応特性に起因して多量の水素が発生し該水素の影響により空燃比センサの出力に誤差が生じた場合においても、実際の空燃比を目標空燃比に一致させるようにすることが可能な内燃機関の排気浄化装置を提供すること。【解決手段】本発明の内燃機関の排気浄化装置は、下層と該下層を覆う上層とを具備し、排気中の酸素濃度が高いときに酸素を吸蔵し且つ排気中の酸素濃度が低いときに酸素を放出する酸素吸蔵能を有する酸素吸蔵材が上層に含有させた排気浄化触媒と、排気浄化触媒の下流に配設された空燃比センサと、該空燃比センサからの出力と排気浄化触媒で生じた水素に起因する空燃比センサの出力の誤差とに基づいて、実際の空燃比が目標空燃比に一致するようにする空燃比制御手段とを具備する。【選択図】図１
2008128110.tif 000002
【特許請求の範囲】
【請求項１】
下層と該下層を覆う上層とを具備し、排気中の酸素濃度が高いときに酸素を吸蔵し且つ排気中の酸素濃度が低いときに酸素を放出する酸素吸蔵能を有する酸素吸蔵材を前記上層に含有させた排気浄化触媒と、
前記排気浄化触媒の下流に配設された空燃比センサと、
前記空燃比センサからの出力と前記排気浄化触媒で生じた水素に起因する前記空燃比センサの出力の誤差とに基づいて、実際の空燃比が目標空燃比に一致するようにする空燃比制御手段と、
を具備することを特徴とする内燃機関の排気浄化装置。
【請求項２】
前記上層は主たる触媒金属としてロジウムが含有され、前記下層は主たる触媒金属として白金が含有される、ことを特徴とする請求項１に記載の内燃機関の排気浄化装置。
【請求項３】
前記目標空燃比は、理論空燃比よりもわずかばかりリッチ側の空燃比とされる、ことを特徴とする請求項２に記載の内燃機関の排気浄化装置。
【請求項４】
前記実際の空燃比を、理論空燃比よりもわずかばかりリッチ側の空燃比を挟んで所定の振幅で強制的に振動させる、ことを特徴とする請求項２に記載の内燃機関の排気浄化装置。
【発明の詳細な説明】
【技術分野】
【０００１】
本発明は、内燃機関本体から排出された排気中に含まれる有害な成分を浄化する排気浄化触媒が排気系に配設された内燃機関の排気浄化装置に関する。
【背景技術】
【０００２】
従来より、自動車用内燃機関においては、排気中に含まれるＨＣ（炭化水素）、ＣＯ（一酸化炭素）、ＮＯｘ（窒素酸化物）などの有害成分を浄化するために内燃機関の排気系に排気浄化触媒が配設された排気浄化装置が知られている。
【０００３】
このような排気浄化装置に使用される排気浄化触媒として、三元触媒が広く知られている。該三元触媒は、不完全燃焼成分であるＨＣ及びＣＯの酸化反応と、空気中の窒素と燃え残りの酸素とが反応して生成されるＮＯｘの還元反応とを同時に促進し、ＨＣ、ＣＯおよびＮＯｘの外部への排出を低減させる機能を有する。かかる三元触媒は、一般に、白金(Ｐｔ)、パラジウム(Ｐｄ)、ロジウム(Ｒｈ)等の貴金属の触媒成分をγ-アルミナ等の多孔質金属酸化物の担体に担持して構成される。
【０００４】
この金属酸化物担体は様々な材料で作ることができるが、従来は高表面積を得るためにアルミナ（Ａｌ2Ｏ3）を使用することが一般的であった。しかしながら近年では、担体の化学的性質を利用して排気の浄化を促進するために、セリア（ＣｅＯ2）、ジルコニア（ＺｒＯ2）、チタン（ＴｉＯ2）などの様々な他の材料を、アルミナと組み合わせて又は組み合わせないで、使用することも提案されている。
【０００５】
例えば、排気中の酸素濃度の変動を吸収して三元触媒の排気浄化性能を高めるために、排気中の酸素濃度が高いときに酸素を吸蔵し、且つ排気中の酸素濃度が低いときに酸素を放出する酸素吸蔵能（ＯＳＣ能）を有する材料（以下、酸素吸蔵材と称す）を、排気浄化触媒のための担体として用いることが行われている。酸素吸蔵材として代表的なものはセリアである。
【０００６】
三元触媒の作用によってＣＯ及びＨＣの酸化と、ＮＯｘの還元とが効率的に進行するためには、内燃機関の空燃比が理論空燃比（ストイキ）であることが必要である。従って、排気中の酸素濃度の変動を吸収して理論空燃比付近の酸素濃度を維持することは、三元触媒が排気浄化性能を発揮するために好ましい。
【０００７】
また、排気浄化触媒として、排気に直接接触する上層と、該上層に覆われる下層とから構成され、上層にセリアのような酸素吸蔵材が含有させた排気浄化触媒が知られている。
【０００８】
例えば、特許文献１においては、ＨＣトラップ機能を有するＮＯｘ吸着触媒であって、該触媒が高温に晒されたときに、ゼオドライトがアルカリ金属又はアルカリ土類金属によって破壊されることを防止するために、アルカリ金属又はアルカリ土類金属をサポート材としてのアルミナ及びセリアに担持させてなる触媒成分とバインダとによって形成される上層と、ゼオドライト及びバインダを含有する下層とを有する触媒が開示されている。
【０００９】
また、特許文献２においては、単一層のセリウム-ジルコニウム複合酸化物がコートされてなる触媒担体構造体を用いた排気浄化用触媒と比較して、排気組成の変動下でも高い排気浄化性能を発揮させるために、セリウム／ジルコニアのモル比が異なる複数層のセリウム-ジルコニウム複合酸化物がハニカム基材にコートされてなる触媒担体構造体が開示されている。
【００１０】
【特許文献１】特開２００３−９３８８５号公報
【特許文献２】特開２００３−２９９９６７号公報
【発明の開示】
【発明が解決しようとする課題】
【００１１】
ところで、セリアのような酸素吸蔵材を有する三元触媒が排気浄化触媒として排気系に配設された内燃機関において、排気空燃比が理論空燃比よりもリーン側の空燃比であるような機関運転が継続されている際に、急な加速などにより排気空燃比がリッチ空燃比に移行された場合、三元触媒に吸蔵されていた硫黄成分がＨ2Ｓ（二硫化水素）として一気に大量に大気に排出され、強い異臭がもたらされる場合がある。このことは、セリアのような酸素吸蔵材を有する三元触媒においては、酸素吸蔵材が有する酸素吸蔵能に起因して、リーン空燃比である場合には燃料中の硫黄成分が吸蔵され、リッチ空燃比である場合には吸蔵されている硫黄成分が脱離されるということに起因してもたらされるものである。
【００１２】
このような問題を解決する手段として、理論空燃比よりもわずかばかりリッチ側の空燃比（以下、スライトリッチ空燃比と称す）を通常走行における目標空燃比として内燃機関を運転させることが考えられる。
【００１３】
排気空燃比がスライトリッチ空燃比となるように内燃機関が継続して運転されている場合においては、三元触媒に硫黄成分が吸蔵されている場合であっても該硫黄成分は三元触媒から小出しに脱離されるため、該硫黄成分がＨ2Ｓとして大気に排出されたとしても、その量は少量であり強い異臭をもたらすことはない。また、排気空燃比がスライトリッチ空燃比となるように内燃機関が継続して運転されている場合においては、小出しに三元触媒から硫黄成分が脱離されているため、三元触媒に硫黄成分が吸蔵されているとしても、その量はわずかであり、急に加速され排気空燃比がスライトリッチ空燃比よりも更にリッチ側の空燃比にされたとしてもＨ2Ｓの発生量は少なく、異臭の発生を抑制することができる。更に、排気空燃比がスライトリッチ空燃比である場合、排気空燃比がリッチ側の空燃比にある場合には浄化されにくいとされるＣＯやＨＣの排出量も僅かであり、排気エミッションに対する影響は少ない。
【００１４】
排気浄化触媒は、一般的に、幾つかの触媒金属が含有されて構成されるが、これらの触媒金属が含有された一層コートの排気浄化触媒においては、継続使用されているうちに各触媒金属の融点の差異など起因して一部の触媒金属同士が固溶してしまい、排気浄化性能の劣化がもたらされる場合がある。
【００１５】
例えば三元触媒においては、一般的に、排気空燃比がリッチ空燃比である場合においてはＮＯｘの浄化特性は高いとされているが、一層コートの三元触媒においては、白金とロジウムとが同一層に含有されているが故に、継続使用されているうちに白金とロジウムとの融点の差異などに起因してロジウムと白金とが固溶（合金化）してしまい、排気空燃比がリッチ空燃比である場合においてもＮＯｘの浄化性能の劣化がもたらされる場合がある。
【００１６】
従って、排気浄化触媒として一層コートの三元触媒が排気系に配設された内燃機関においては、異臭となるＨ2Ｓの発生を抑制すべく、スライトリッチ空燃比を通常走行における目標空燃比として内燃機関を運転させることは、排気エミッションの観点で問題となる場合がある。
【００１７】
これに対して、下層と該下層を覆う上層とを具備し、排気と直接的に接することになる上層に酸素吸蔵材を含有させることで、酸素吸蔵材が下層に含有された場合と比較して、酸素吸蔵材による酸素の出入りを容易にし、より確実に排気中の酸素濃度の変動を吸収し、排気浄化性能の改善を図る排気浄化触媒がある。また、該排気浄化触媒においては、上層と下層のそれぞれに主として含有させる触媒金属を異なるものとすることができ、含有された各触媒金属の融点の差異などに起因して発生する排気浄化性能の劣化を抑制し、排気浄化触媒の排気浄化性能の改善を図ることが可能となる。
【００１８】
例えば、主たる触媒金属としてロジウムが含有された上層と、主たる触媒金属として白金が含有された下層とを有する２層コートの三元触媒であって、排気と直接的に接する上層にセリアのような酸素吸蔵材が含有された三元触媒がある。
【００１９】
排気と直接的に接する上層にセリアのような酸素吸蔵材が含有されたこのような三元触媒によれば、酸素吸蔵材が下層に含有された場合と比較して、酸素吸蔵材による酸素の出入りを容易にし、より確実に排気中の酸素濃度の変動を吸収し、三元触媒の排気浄化性能を高めることができる。また、白金とロジウムとが同一層に殆ど混在しない三元触媒によれば、上記のような白金とロジウムとが同一層に混在するが故に発生するリッチ空燃比領域におけるＮＯｘの浄化性能の劣化を抑制することができる。これらのことにより、スライトリッチ空燃比を通常走行における目標空燃比として内燃機関を運転させることが可能となる。
【００２０】
しかしながら、下層と該下層を覆う上層とを具備し、排気と直接的に接することになる上層に酸素吸蔵材を含有させた排気浄化触媒においては、酸素吸蔵材が含有され１層コートで構成された三元触媒あるいは上層に酸素吸蔵材が含有されていない２層コートの三元触媒と比較して、理論空燃比及びリッチ空燃比領域におけるＮＯｘの浄化性能を改善できる一方で、該触媒の反応特性に起因して多量の水素（Ｈ2）の発生がもたらされる場合があることが、本出願人の研究により判明した。より具体的には、主たる触媒金属としてロジウムが含有された上層と、主たる触媒金属として白金が含有された下層とを有する２層コートの三元触媒であって、排気と直接的に接する上層に酸素吸蔵材を含有させた三元触媒においては、酸素吸蔵材が含有され１層コートで構成された三元触媒あるいは上層に酸素吸蔵材が含有されていない２層コートの三元触媒と比較して、理論空燃比及びリッチ空燃比領域におけるＮＯｘの浄化性能を改善できる一方で、該触媒の反応特性に起因して多量の水素（Ｈ2）の発生がもたらされる場合があることが、本出願人の研究により判明した。水素が発生する要因としては、水性ガス還元反応や水蒸気改質反応などが考えられ、これらの反応が上記のような現象をもたす一要因になっていることが考えられる。
【００２１】
ところで、排気中の酸素濃度に基づいて排気空燃比を検出するＯ2センサ等の空燃比センサを使用し機関空燃比を制御する場合には、排気中に水素が存在すると正確な空燃比制御ができなくなる問題があることが知られている。一般に、Ｏ2センサ等の排気中の酸素濃度に基づいて排気空燃比を検出する空燃比センサでは、センサの検出部（電極）に到達する排気中の酸素濃度と外部大気中の酸素濃度との差により生じる起電力等により排気中の酸素濃度を検出し、この排気酸素濃度から排気空燃比を検出している。このため、検出部に到達する排気の酸素濃度と実際の排気酸素濃度との間に差が生じると正確な空燃比検出を行うことができなくなる。例えば、排気中に水素が存在する場合には、水素の影響によりセンサ検出部に到達する排気の酸素濃度が実際の排気酸素濃度から変化してしまうため、空燃比センサ出力に誤差を生じ空燃比を正確に目標値に制御できなくなる場合が生じる。
【００２２】
水素は、酸素分子よりも小さく、空燃比センサ検出部（電極）外側の保護層内での拡散速度が速いため排気中に水素が存在すると空燃比センサ検出部には酸素よりも早く水素が到達する傾向がある。このため、保護層内側のセンサ検出部では酸素濃度に対する水素濃度の比率が外部排気における比率より高くなる。この結果、検出部（電極）上で水素と酸素が反応すると、検出部における排気中の酸素濃度は外部排気の平衡化した酸素濃度より低くなってしまう。
【００２３】
ここで、「平衡化した酸素濃度」とは排気中の可燃成分（水素等）が排気中の酸素と完全に反応した後の酸素濃度であり、真の排気空燃比に対応する酸素濃度である。上記のように、排気中に水素が存在するとセンサ検出部での酸素濃度は平衡化した排気酸素濃度より低くなるため、空燃比センサは実際の排気空燃比よりリッチな出力を発生することになる。このため、実際の排気空燃比がリッチからリーンに変化した場合も、実際の空燃比がかなりリーンになるまで空燃比センサはリッチ空燃比出力を発生するようになる。従って、このような状態の空燃比センサ出力に基づいて空燃比を、例えば理論空燃比に制御しようとすると、空燃比が理論空燃比よりリーン側に誤制御されてしまう問題が生じうる。
【００２４】
また、上述の問題は、Ｏ2センサのみならず、例えば片側を排気に接触させ、もう一方の側を大気に接触させた固体電解質に電圧を印加することにより、排気側（低酸素濃度側）から大気側（高酸素濃度側）に酸素イオンを移動させる酸素ポンプを形成し、酸素イオンの移動に伴う電流値の排気酸素濃度による変化に基づいて空燃比に比例する電圧を出力する、いわゆるリニア空燃比センサについても同様の問題が生じうる。
【００２５】
本発明は上記課題に鑑み、排気系に排気浄化触媒が配設された内燃機関の排気浄化装置において、排気浄化触媒として、下層と該下層を覆う上層とを具備し、排気と直接的に接触することなる上層に酸素吸蔵材を含有させた排気浄化触媒を適用することで、リッチ空燃比領域におけるＮＯｘの浄化性能の改善を図るとともに、該排気浄化触媒の反応特性に起因して多量の水素が発生し、該水素の影響により空燃比センサの出力に誤差が生じた場合においても、空燃比を所望の空燃比に制御することが可能な内燃機関の排気浄化装置を提供することを目的としている。
【００２６】
尚、特許文献１及び特許文献２において、下層と該下層を覆う上層とを具備する排気浄化触媒であって、排気と直接的に接する上層に酸素吸蔵材が混入させた排気浄化触媒が開示されているが、このような課題及びその解決手段についての記載はない。
【課題を解決するための手段】
【００２７】
請求項１に記載の発明によれば、下層と該下層を覆う上層とを具備し、排気中の酸素濃度が高いときに酸素を吸蔵し且つ排気中の酸素濃度が低いときに酸素を放出する酸素吸蔵能を有する酸素吸蔵材を前記上層に含有させた排気浄化触媒と、前記排気浄化触媒の下流に配設された空燃比センサと、前記空燃比センサからの出力と前記排気浄化触媒で生じた水素に起因する前記空燃比センサの出力の誤差とに基づいて、実際の空燃比が目標空燃比に一致するようにする空燃比制御手段と、を具備することを特徴とする内燃機関の排気浄化装置が提供される。
【００２８】
すなわち、請求項１に発明では、下層と該下層を覆う上層とを具備し、酸素吸蔵材が上層に含有された排気浄化触媒を具備することで、リッチ空燃比領域におけるＮＯｘの浄化性能の改善を図る。更に、空燃比センサからの出力と、排気浄化触媒で生じた水素に起因する空燃比センサの出力の誤差とに基づいて実際の空燃比を目標空燃比に一致するようにする空燃比制御手段を具備することで、排気浄化触媒の反応特性に起因して多量の水素の発生がもたらされた場合であっても、空燃比を目標空燃比に制御することを可能とする。これらにより、通常走行時の目標空燃比をスライトリッチ空燃比とする場合、通常走行時にスライトリッチ空燃比で内燃機関を運転させることができ、異臭となるＨ2Ｓの発生を抑制することが可能となる。
【００２９】
請求項２に記載の発明によれば、前記上層は主たる触媒金属としてロジウムが含有され、前記下層は主たる触媒金属として白金が含有される、ことを特徴とする請求項１に記載の内燃機関の排気浄化装置が提供される。
【００３０】
請求項３に記載の発明によれば、前記目標空燃比は、理論空燃比よりもわずかばかりリッチ側の空燃比とされる、ことを特徴とする請求項２に記載の内燃機関の排気浄化装置が提供される。
【００３１】
請求項４に記載の発明によれば、前記実際の空燃比を、理論空燃比よりもわずかばかりリッチ側の空燃比を挟んで所定の振幅で強制的に振動させる、ことを特徴とする請求項２に記載の内燃機関の排気浄化装置が提供される。
【００３２】
すなわち請求項４の発明では、実際の空燃比を、理論空燃比よりもわずかばかりリッチ側の空燃比を挟んで所定の振幅で強制的に振動させることで、更なる排気エミッションの改善を図る。尚、所定の振幅は、設計仕様などにより適宜設定されるものであり、例えば、排気浄化触媒の硫黄成分の吸蔵量に基づいて設定されてもよい。
【発明の効果】
【００３３】
各請求項の記載の発明によれば、排気系に排気浄化触媒が配設された内燃機関の排気浄化装置において、排気浄化触媒として、下層と該下層を覆う上層とを具備し、排気と直接的に接触することになる上層に酸素吸蔵材を含有させた排気浄化触媒を適用することで、リッチ空燃比領域におけるＮＯｘの浄化性能の改善を図るとともに、該排気浄化触媒の反応特性に起因して多量の水素が発生し、該水素の影響により空燃比センサの出力に誤差が生じた場合においても、排気空燃比を所望の空燃比に制御することが可能な共通の効果を奏する。
【発明を実施するための最良の形態】
【００３４】
以下、添付図面を用いて本発明の実施形態について説明する。図１は本発明を自動車用内燃機関に適用した場合の全体構成を示す概略図である。図１において、１は内燃機関本体を示す。本実施形態では内燃機関は多気筒機関が使用されており、図１はそのうちの１つの気筒についてのみ示しているが、他の気筒についても同一の構成となっている。
【００３５】
図１において、２は機関１の吸気管、１６は吸気管２に配置され運転者のアクセルペダル２１の操作量に応じた開度をとるスロットル弁、２ａは吸気管２に設けられたサージタンク、２ｂは各気筒の吸気ポートとサージタンク２ａとを接続する吸気マニホルド、７は機関の各気筒の吸気ポートに加圧燃料を噴射する燃料噴射弁を示す。また、図１において、１８は機関の吸入空気量を検出するエアフローメータである。
【００３６】
本実施形態では、スロットル弁１６には、スロットル弁開度に応じた電圧信号を発生するスロットル開度センサ１７が配置されており、また、サージタンク２ａにはサージタンク内の絶対圧力に応じた電圧信号を発生する吸気管圧力センサ３が接続されている。また、図１において１１は各気筒の排気ポートを共通の集合排気管１４に接続する排気マニホルドを示している。
【００３７】
集合排気管１４には、排気浄化触媒として、排気の空燃比が理論空燃比近傍のときに排気中のＨＣ、ＣＯ、ＮＯX の三成分を同時に浄化可能な三元触媒１５が配設されている。該三元触媒は、下層と該下層を覆う上層とを具備し、排気中の酸素濃度が高いときに酸素を吸蔵し且つ排気中の酸素濃度が低いときに酸素を放出する酸素吸蔵能を有する酸素吸蔵材を前記上層に含有させたものである。具体的には、排気と直接的に接触する上層であって主たる触媒金属としてロジウムが含有された上層と、該上層に覆われる下層であって主たる触媒金属として白金が含有された下層とを有する２層コートの三元触媒であって、少なくとも上層にセリアのような酸素吸蔵材が含有された２層コートの三元触媒である。
【００３８】
三元触媒１５の下流側排気管には空燃比センサ１３が設けられている。本実施形態では、空燃比センサ１３として、排気中の酸素成分濃度に応じた電圧信号を発するＯ2サンサが用いられる。
【００３９】
図１において、機関本体１のシリンダブロックのウォータジャケット８には、冷却水の温度を検出するための水温センサ９が設けられている。水温センサ９は冷却水の温度に応じたアナログ電圧の電気信号を発生する。なお、上述のＯ2センサ１３、スロットル弁開度センサ１７、エアフローメータ１８、吸気管圧力センサ３及び水温センサ９の出力信号は、後述するＥＣＵ１０のマルチプレクサ内蔵Ａ／Ｄ変換器１０１に入力される。
【００４０】
図１に５、６で示すのは、それぞれ機関１のクランク回転角を検出するクランク角センサである。クランク角センサ５は、機関１のカム軸（図示せず）近傍に設けられ、カム軸回転角が、例えばクランク軸回転角に換算して７２０°毎に基準位置検出用パルス信号を発生する。また、クランク角センサ６は、クランク軸近傍に設けられ、クランク軸回転角３０°毎にクランク角検出用パルス信号を発生する。これらクランク角センサ５、６のパルス信号はＥＣＵ１０の入出力インターフェイス１０２に供給され、このうちクランク角センサ６の出力はＣＰＵ１０３の割込み端子に供給される。
【００４１】
ＥＣＵ（電子制御ユニット）１０は、たとえばマイクロコンピュータとして構成され、Ａ／Ｄ変換器１０１、入出力インターフェイス１０２、ＣＰＵ１０３の他に、ＲＯＭ１０４、ＲＡＭ１０５、バックアップＲＡＭ１０６、クロック発生回路１０７等が設けられている。本実施形態では、ＥＣＵ１０は、機関の燃料噴射制御、点火時期制御等の基本制御を行う他、後述するように、Ｏ2センサ１３からの出力と三元触媒１５で生じた水素に起因するＯ2センサの出力の誤差とに基づいて、実際の空燃比が目標空燃比に一致するようにする空燃比制御手段として機能している。
【００４２】
ＥＣＵ１０の、ダウンカウンタ１０８、フリップフロップ１０９、および駆動回路１１０は燃料噴射弁７を制御するためのものである。すなわち、燃料噴射量（噴射時間）ＴＡＵが演算されると、噴射時間ＴＡＵがダウンカウンタ１０８にプリセットされると共にフリップフロップ１０９がセットされる。この結果、駆動回路１１０が燃料噴射弁７の付勢を開始する。他方、ダウンカウンタ１０８がクロック信号（図示せず）を計数して最後にその出力端子が“１”レベルとなったときに、フリップフロップ１０９がリセットされて駆動回路１１０は燃料噴射弁７の付勢を停止する。つまり、上述の燃料噴射時間ＴＡＵだけ燃料噴射弁７は付勢され、時間ＴＡＵに応じた量の燃料が機関の燃焼室に供給されることになる。
【００４３】
機関の回転数（回転速度）データは、クランク角センサ６のパルス間隔に基づいて所定のクランク角毎（例えば３０°毎）の割込により演算され、ＲＡＭ１０５の所定領域に格納される。つまり、ＲＡＭ１０５には常に最新の回転速度データが格納されている。
【００４４】
ところで、本出願人は、１層コートで構成され酸素吸蔵材が含有された三元触媒（試料１）と、２層コートで構成され酸素吸蔵材が下層のみに含有された三元触媒（試料２）と、２層コートで構成され酸素吸蔵材が上層及び下層の両層に含有された三元触媒（試料３）との三つの層構造が異なる三元触媒を使用して、ＮＯｘ浄化性能の比較、及び、Ｈ２発生量の比較を行った。一層コートで構成された三元触媒では、同じ層の中に触媒貴金属として白金及びロジウムが含有された。また、２層コートで構成される三元触媒では、排気と直接的に接する上層には主たる触媒金属としてロジウムが含有され、下層には主たる触媒金属として白金が含有された。尚、酸素吸蔵材としては、共通してセリアが使用された。
【００４５】
図２は、ＮＯｘ浄化性能の比較の一例を示すグラフである。また、図３は水素発生量の比較の一例を示すグラフである。図２及び図３において、１層コートで構成され酸素吸蔵材が含有された三元触媒については試料１として示し、２層コートで構成され酸素吸蔵材が下層のみに含有された三元触媒については試料２として示し、２層コートで構成され酸素吸蔵材が上層及び下層の両層に含有された三元触媒については試料３として示す。
【００４６】
図２から、２層コートで構成され酸素吸蔵材を上層に含有させた三元触媒（試料３）は、他の三元触媒（試料１及び試料２）と比較して、リッチ空燃比及び理論空燃比（ストイキ）領域においてＮＯｘの浄化性能が優れていることが理解される。このことから、酸素吸蔵材を上層に含有させた２層コートの三元触媒は、１層コートで構成された三元触媒あるいは上層に酸素吸蔵材が含有されていない２層コートの三元触媒と比較して、リッチ空燃比及び理論空燃比領域におけるＮＯｘの浄化性能を改善できることが理解される。
【００４７】
一方で、図３から、２層コートで構成され酸素吸蔵材を上層に含有させた三元触媒（試料３）は、他の三元触媒（試料１及び試料２）と比較して、リッチ空燃比及び理論空燃比状態において、多くの水素の発生がもたらされることが理解される。このことから、酸素吸蔵材を上層に含有させた２層コートの三元触媒は、１層コートで構成された三元触媒あるいは上層に酸素吸蔵材が含有されていない２層コートの三元触媒と比較して、リッチ空燃比及び理論空燃比領域において、該触媒の反応特性に起因して多量の水素（Ｈ2）の発生がもたらされる場合があることが判明した。また、触媒の反応特性に起因して発生する水素量は、三元触媒の層構造や酸素吸蔵材がどの層に含有されるのか等により違うことが判明した。
【００４８】
上述したように、排気中の酸素濃度に基づいて空燃比を検出するＯ2センサ等の空燃比センサを使用して空燃比を制御する場合には、排気中にＨ2が存在すると正確な空燃比制御ができなくなる問題が生じうる。
【００４９】
図４はＯ2センサ１３の概略構造を説明する図である。Ｏ2センサ１３は、例えば酸化ジルコニウム（ＺｒＯ2 ）等の固体電解質１３０５の両側に２つの白金電極１３０１、１３０３を配置した構成とされ、白金電極１３０３側は多孔質の保護層１３０７を介して排気に接触し、白金電極１３０１は大気に接触するように排気通路に挿入される。このように、固体電解質１３０５の両側の白金電極１３０１と１３０３に酸素濃度の異なる気体（大気と排気）を接触させると、電極相互の酸素濃度差により、大気（高酸素濃度）側電極１３０１上では大気中の酸素分子がイオン化し酸化ジルコニウム中を酸素イオンが排気（低酸素濃度）側電極１３０３に向けて移動して電極１３０３上で酸素分子になる。このため、電極１３０１と１３０３との間には酸化ジルコニウム中を流れる酸素イオンの量に応じた起電力が生成される。また、単位時間当たりに流れる酸素イオンの量は大気と排気の酸素濃度差に応じて変化するため、上記起電力を出力電圧として取り出すことにより、排気中の酸素濃度に応じた信号を得ることができる。なお、図４に１３１１で示したのは、機関始動時等の低温時に固体電解質層１３０５中を酸素イオンが移動可能な温度まで早期に昇温させるための電気ヒータである。図５はＯ2センサ１３の出力特性を示す図である。図５に示すように、Ｏ2センサ１３出力は理論空燃比近傍で比較的急激に変化する、いわゆるＺ特性を示す。
【００５０】
ところが、排気中に水素が生成されると前述したように保護層１３０７内での拡散速度の差等により、排気側電極１３０３近傍では外部の排気より水素濃度が高くなり、電極上での水素と酸素の反応により排気側電極１３０３上での酸素濃度が保護層１３０７外側の排気より低くなってしまうため、Ｏ2センサ１３は、保護層１３０７外部の排気の空燃比がかなりリーンにならないとリーン出力を発生しなくなる。すなわち、排気中に水素が存在すると、保護層１３０７外部の排気空燃比に対してＯ2センサ１３出力は図５に点線で示したように変化するようになる。このため、空燃比のリッチからリーンへの変化の検出に遅れが生じるようになる。このような状態のＯ2センサ出力に基づいて空燃比を、例えば理論空燃比に制御しようとすると、空燃比が理論空燃比よりもリーン側に誤制御されてしまう問題が生じうる。
【００５１】
これらのことに基づいて、図１に示された本発明の排気浄化装置が適用された内燃機関においては、排気浄化触媒として、下層と該下層を覆う上層とを具備し、排気と直接的に接触することになる上層に酸素吸蔵材を含有させた排気浄化触媒を適用し、より具体的には、主たる触媒金属としてロジウムが含有された上層と、主たる触媒金属として白金が含有された下層とを有する２層コートの三元触媒であって、排気と直接的に接する上層に酸素吸蔵材としてセリアが含有された２層コートの三元触媒を適用し、リッチ空燃比領域におけるＮＯｘの浄化性能の改善を図り、スライトリッチ空燃比を通常走行における目標空燃比として内燃機関を運転させることを可能とし、Ｈ2Ｓが排出されることによる異臭の発生を抑制することを可能とする。更に、空燃比センサからの出力と排気浄化触媒で生じた水素に起因する空燃比センサの出力の誤差とに基づいて空燃比制御を実行することで、該排気浄化触媒の反応特性に起因して多量の水素が発生し、該水素の影響により空燃比センサの出力に誤差が生じた場合においても、実際の空燃比を目標空燃比に一致させるようにすることを可能とする。
【００５２】
また、本発明の内燃機関の排気浄化装置によれば、リッチ空燃比領域におけるＮＯｘの浄化性能が改善されるために、三元触媒の酸素吸蔵量を所定量に維持すべく、機関運転中に燃料供給を停止するフューエルカットが実行された後にリッチ制御が実行されるような場合においても、その際のＮＯｘの排出を抑制することが可能となる。
【００５３】
図６は、図１に示された本発明の排気浄化装置が適用された内燃機関において実行される、Ｏ2センサ１３からの出力と三元触媒１５で生じた水素に起因するＯ2センサ１３の出力の誤差とに基づいて、実際の空燃比が目標空燃比に一致するようにする空燃比制御の制御ルーチンの第一の実施形態を示す図である。
【００５４】
図６に示される第一の実施形態の空燃比制御ルーチンにおいては、三元触媒１５で生じた水素に起因するＯ2センサ１３の出力誤差量が算出され、該出力誤差量に基づいて実際の空燃比を目標空燃比に一致させるための見かけ上の目標空燃比が設定され、該見かけ上の目標空燃比にて内燃機関を運転することで、実際の空燃比を目標空燃比に一致させるものである。この際、目標空燃比は、スライトリッチ空燃比すなわち理論空燃比よりもわずかばかりにリッチ側の空燃比とされる。以下に本制御ルーチンの各ステップを説明する。
【００５５】
まず、ステップ２０１及びステップ２０２においては、現状の内燃機関の運転状態が通常走行運転状態にあるか否かを判定する上で、機関回転数や吸入空気量などの各データがＥＣＵ１０に取り込まれ、該各データから触媒温度が算出され、触媒温度が所定値以上、例えば排気浄化触媒の浄化機能が正常に作用する触媒活性温度以上であるか否かの判定がなされる。触媒温度が所定値以上であると判定されると、すなわち、現状の内燃機関の運転状態が通常走行運転状態にあると判定されると、続くステップ２０３に進む。尚、該触媒温度の算出に当たっては、試験評価や解析評価などにより予め作成されＥＣＵ１０のメモリー内に格納されたマップであって、機関回転数や吸入空気量などから触媒温度を算出する第一のマップを使用して算出される。
【００５６】
ステップ２０３においては、目標空燃比がスライトリッチ空燃比に設定される。
【００５７】
上述したように、三元触媒１５で多量の水素が発生すると、該水素の影響によりＯ2センサ出力に誤差が生じる。具体的には、Ｏ2センサ１３は実際の空燃比よりリッチな出力を発生し、実際の空燃比がリッチからリーンに変化した場合も、実際の空燃比がかなりリーンになるまでＯ2センサ１３はリッチ空燃比出力を発生するようになる。従って、このような状態のＯ2センサ出力に基づいて空燃比を、目標空燃比に制御しようとすると、空燃比が目標空燃比よりリーン側に誤制御されてしまう問題が生じうる。
【００５８】
例えば、目標空燃比を１４．６と設定し、実際の空燃比が目標空燃比の１４．６であるにもかかわらず、三元触媒１５での水素発生の影響によりＯ2センサ１３では実際の空燃比よりもリッチ側の例えば１４．４で出力される場合がある。この場合、Ｏ2センサ出力に基づいて行われる通常の空燃比フィードバック制御においては、Ｏ2センサ１３で出力された空燃比に基づいて実際の空燃比が目標空燃比よりもリッチ側にあるものと判断して、空燃比をリーン側へ移行させるようなフィードバック制御が実行されてしまう。このことは、実際の空燃比が目標空燃比であるにもかかわらず、リーン側への制御してしまうことになる。
【００５９】
このことに基づいて、ステップ２０４及びステップ２０５においては、三元触媒１５で発生した水素に起因するＯ2センサ１３の出力誤差量が算出され、該出力誤差量に基づいて、実際の空燃比を目標空燃比に一致させるための見かけ上の目標空燃比が設定される。つまり、三元触媒１５で発生した水素に起因するＯ2センサ１３の出力誤差量が算出され、この出力誤差量により、フードバック制御の際に、どれくらい誤って空燃比をリーン側へ移行させてしまうのかが判断され、誤ってリーン側へ移行されてしまう量だけ目標空燃比よりもリッチ側へ移行した見かけ上の目標空燃比が設定される。該見かけ上の目標空燃比にて内燃機関が運転された場合、実際の空燃比は、Ｏ2センサ１３の出力誤差により誤ってリーン側へ移行されてしまう量だけ、見かけ上の目標空燃比よりもリーン側の移行された空燃比となるため、実際の空燃比を目標空燃比に一致させることができることになる。
【００６０】
ステップ２０４においては、まず、ステップ２０１で算出された触媒温度に基づいて三元触媒１５での水素発生量を算出する第二のマップを使用して水素発生量が算出される。次に、該水素発生量に基づいてＯ2センサ１３の出力誤差量を算出する第三のマップを使用してＯ2センサ１３の出力誤差量が算出される。
【００６１】
ステップ２０５においては、Ｏ2センサ１３の出力誤差量に基づいて、フィードバック制御する際に誤ってリーン側へ移行されてしまう量が第四のマップを使用して算出され、誤ってリーン側へ移行されてしまう量だけ目標空燃比よりもリッチ側へ移行した見かけ上の目標空燃比が設定される。尚、上記第二、第三及び第四のマップは、評価試験や解析評価等により予め作成され、ＥＣＵ１０のメモリー内に格納されている。
【００６２】
ステップ２０６においては、ステップ２０５において設定された見かけ上の目標空燃比にて内燃機関が運転される。これにより、実際の空燃比を目標空燃比に一致させることが可能となる。また、本実施形態においては、通常走行運転時の目標空燃比をスライトリッチ空燃比とすることで、異臭となるＨ2Ｓの発生を抑制することを可能とする。
【００６３】
図７は、図１に示された本発明の排気浄化装置が適用された内燃機関において実行される、Ｏ2センサ１３からの出力と三元触媒１５で生じた水素に起因するＯ2センサ１３の出力の誤差とに基づいて、実際の空燃比が目標空燃比に一致するようにする空燃比制御の制御ルーチンの第二の実施形態を示す図である。
【００６４】
ＨＣ、ＣＯ及びＮＯｘの各成分の最高浄化率の範囲の網羅できる振幅で空燃比を強制的に振動させることで排気エミッションの改善を図ることが知られている。しかしながら、リッチ空燃比領域においてＮＯｘの浄化性能の劣化がもたらされる場合においては、この効果が十分に得られない場合がある。
【００６５】
図８は、三元触媒の浄化性能を示す図である。図８中において実線は、ＨＣ、ＣＯ及びＮＯｘの各成分の浄化性能を示し、点線は、含有された各触媒金属の融点の差異などに起因して排気浄化性能が劣化した状態のＮＯｘの浄化性能を示す。また、図８中においては、Ａは空燃比を振動制御する際の振幅を示す。図８から理解される如く、ＮＯｘの浄化性能が劣化する前においては、図８中においてＢにて示される領域（以下、Ｂ領域と称す）においてはＮＯｘに対してほぼ最高浄化率にあり、図８中においてＣにて示される領域（以下、Ｃ領域と称す）においてはＨＣ及びＣＯに対してほぼ最高浄化率あり、これにより、空燃比を振動させることによる排気エミッションの改善効果が得られている。しかしながら、ＮＯｘの浄化性能が点線で示されるように劣化すると、Ｂ領域は、ＮＯｘ、ＨＣ及びＣＯの全ての成分が最高浄化率にない領域となってしまい、空燃比を振動させることによる排気エミッションの改善効果が得られないことになる。
【００６６】
しかしながら、本発明の内燃機関の排気浄化装置によれば、リッチ空燃比領域におけるＮＯｘの浄化性能の改善が図れるために、上記のようにＢ領域にて、ＮＯｘ、ＨＣ及びＣＯの全ての成分が最高浄化率にないような状況を回避することができ、空燃比を振動させることによる排気エミッションの改善効果が十分に得られる。更に、空燃比をストイキリッチ空燃比を挟んで強制的に振動させることができ、異臭をもたらすＨ2Ｓの発生を抑制することが可能となる。
【００６７】
このことに基づいて、図７に示される第二の実施形態の空燃比制御ルーチンにおいては、実際の空燃比をスライトリッチ空燃比を挟んで所定の振幅で強制的に振動させるように目標空燃比が設定される。尚、実際の空燃比を目標空燃比に一致させる手段については、図６に示された第一の実施形態と同様に、三元触媒１５で生じた水素に起因するＯ2センサ１３の出力誤差量が算出され、該出力誤差量に基づいて実際の空燃比を目標空燃比に一致させるための見かけ上の目標空燃比が設定され、該見かけ上の目標空燃比にて内燃機関を運転することで、実際の空燃比を目標空燃比に一致させるものである。
以下に本制御ルーチンの各ステップを説明する。
【００６８】
図７に示されたステップ３０３を除く各ステップは、図６に示されたステップ２０１、２０２及びステップ２０４〜ステップ２０６の各ステップと同様であり、ここでの説明は省略する。
【００６９】
ステップ３０３においては、実際の空燃比がスライトリッチ空燃比を挟んで所定の振幅で強制的に振動されるように目標空燃比が設定される。三元触媒１５に硫黄成分が吸蔵されている場合、該振幅を調整することにより、三元触媒１５から脱離させる硫黄成分量を調整することができる。例えば、強い異臭をもたらすような多量のＨ2Ｓを発生させないようなリッチ空燃比範囲で該振幅を大きくすれば、三元触媒１５に硫黄成分が吸蔵されている場合においても、強い異臭をもたらすことなく、効率的に硫黄成分を三元触媒１５から脱離させることができる。このことに基づいて、本実施形態においては、所定の振幅は三元触媒１５の硫黄成分の吸蔵量に基づいて算出される。尚、該所定の振幅は、少なくともＨＣ、ＣＯ及びＮＯｘの各成分の最高浄化率の範囲の網羅できる振幅とされればよく、他の方法で算出されもよい。
【００７０】
図９は、実際の空燃比をスライトリッチ空燃比を挟んで所定の振幅で強制的に振動させる際の振幅の所定値を算出する制御ルーチンを示す図である。図９に示す制御ルーチンにおいては、まずステップ４０１にて三元触媒１５の硫黄成分の吸蔵量が算出される。本実施形態においては、走行距離などから三元触媒１５の硫黄成分の吸蔵量を算出する第五のマップを使用して算出される。ステップ４０１に続くステップ４０２においては、算出された硫黄成分の吸蔵量に基づいて、実際の空燃比をスライトリッチ空燃比を挟んで所定の振幅で強制的に振動させる際の振幅の所定値が、第六のマップを使用して算出される。該第六のマップにおいては算出される所定の振幅は、少なくともＨＣ、ＣＯ及びＮＯｘの各成分の最高浄化率の範囲の網羅できる振幅であって、強い異臭をもたらすような多量のＨ2Ｓを発生させないようなリッチ空燃比範囲を越えない振幅とされる。尚、上記第五及び第六のマップは、評価試験や解析評価等により予め作成され、ＥＣＵ１０のメモリー内に格納されている。これにより、三元触媒１５に硫黄成分が吸蔵されている場合においても、強い異臭をもたらすことなく、効率的に硫黄成分を三元触媒１５から脱離させることができるとともに、空燃比を振動させることによる排気エミッションの改善効果を十分にもたらすことを可能とする。
【００７１】
尚、排気浄化触媒の反応特性に起因して多量の水素の発生がもたらされた場合であっても、実際の空燃比を目標空燃比に一致するようにする空燃比制御として、以上述べてきた空燃比制御ルーチン以外の制御ルーチンが適用されてもよい。例えば、Ｏ2センサ１３の出力と三元触媒１５で生じた水素に起因するＯ2センサ１３の出力誤差に基づいて、空燃比フィードバック制御における制御定数を変更することで実際の空燃比を目標空燃比に一致するようにする空燃比制御とされてもよい。また、Ｏ2センサ１３の出力と三元触媒１５で生じた水素に起因するＯ2センサ１３の出力誤差に基づいて、Ｏ2センサ１５の出力自体を補正することで、実際の空燃比を目標空燃比に一致するようにする空燃比制御とされてもよい。
【図面の簡単な説明】
【００７２】
【図１】本発明の排気浄化装置を自動車用内燃機関に適用した場合の全体構成を示す概略図である。
【図２】ＮＯｘ浄化性能の比較の一例を示すグラフである。
【図３】水素発生量の比較の一例を示すグラフである。
【図４】Ｏ2センサ１３の概略構造を説明する図である。
【図５】Ｏ2センサ１３の出力特性を示す図である。
【図６】図１に示された本発明の排気浄化装置が適用された内燃機関において実行される、Ｏ2センサ１３からの出力と三元触媒１５で生じた水素に起因するＯ2センサ１３の出力の誤差とに基づいて、実際の空燃比が目標空燃比に一致するようにする空燃比制御の制御ルーチンの第一の実施形態を示す図である。
【図７】図１に示された本発明の排気浄化装置が適用された内燃機関において実行される、Ｏ2センサ１３からの出力と三元触媒１５で生じた水素に起因するＯ2センサ１３の出力の誤差とに基づいて、実際の空燃比が目標空燃比に一致するようにする空燃比制御の制御ルーチンの第二の実施形態を示す図である。
【図８】三元触媒の浄化性能を示す図である。
【図９】実際の空燃比をスライトリッチ空燃比を挟んで所定の振幅で強制的に振動させる際の振幅の所定値を算出する制御ルーチンを示す図である。
【符号の説明】
【００７３】
２    吸気管
１０    ＥＣＵ
１３    Ｏ2センサ
１４    集合排気管
１５    三元触媒
１８    エアフローメータ
【図１】
2008128110.tif 000003
【図２】
2008128110.tif 000004
【図３】
2008128110.tif 000005
【図４】
2008128110.tif 000006
【図５】
2008128110.tif 000007
【図６】
2008128110.tif 000008
【図７】
2008128110.tif 000009
【図８】
2008128110.tif 000010
【図９】
2008128110.tif 000011